(57)【要約】【課題】ＰＣカードに供給される電圧が異常であることを報知する。【解決手段】放送受信機は、メインＣＰＵ１５、サブＣＰＵ１８、電源ＩＣ１９を備え、サブＣＰＵ１８は、機能的に、電源ＩＣ１９を介してＰＣカード２に予め設定された所定電圧の電力を供給する電力供給部１８１と、電源ＩＣ１９からＰＣカード２に供給される電圧値を検出する電圧検出部１８２と、電圧検出部１８２によって検出された電圧値が正常であるか否かを判定する電圧判定部１８３と、を備え、メインＣＰＵ１５は、機能的に、電圧判定部１８３によって電圧値が正常ではないと判定された場合に、ディスプレイ１４に予め設定された情報を表示する表示制御部１５２を備えている。【選択図】図２
2008311710.tif 000002
【特許請求の範囲】
【請求項１】
暗号化されたデジタル放送を受信し、受信されたデジタル放送を、ＰＣカードを介して復号化してモニタに出力する放送受信装置であって、
前記ＰＣカードに予め設定された所定電圧の電力を供給する電力供給手段と、
前記電力供給手段によって前記ＰＣカードに供給される電圧値を検出する電圧検出手段と、
前記電圧検出手段によって検出された電圧値が正常であるか否かを判定する電圧判定手段と、
前記電圧判定手段によって電圧値が正常ではないと判定された場合に、前記モニタに予め設定された情報を表示する表示制御手段と、
を備えることを特徴とする放送受信装置。
【請求項２】
前記ＰＣカードは、ＰＣＭＣＩＡ規格に準拠したＰＣカードであって、
前記電力供給手段は、前記ＰＣカードに、第１ラインを介して第１電圧値に設定された電圧を供給すると共に、前記第１ラインとは相違する第２ラインを介して第２電圧値に設定された電圧を供給し、
前記電圧検出手段は、前記電力供給手段から前記第１ライン及び第２ラインを介してそれぞれ供給される２つの電圧値を検出し、
前記電圧判定手段は、前記電圧検出手段によって検出された２つの電圧値がそれぞれ正常であるか否かを判定し、
前記表示制御手段は、前記電圧判定手段によって２つの電圧値の内、少なくとも一方が正常ではないと判定された場合に、前記モニタに予め設定された情報を表示することを特徴とする請求項１に記載の放送受信装置。
【請求項３】
前記表示制御手段は、前記電圧判定手段によって２つの電圧値の内、少なくとも一方が正常ではないと判定された場合に、２つの電圧値の内、正常ではないと判定された電圧値が供給されているラインを判別可能に前記モニタに表示することを特徴とする請求項２に記載の放送受信装置。
【請求項４】
前記電力供給手段に対して、前記第１ライン及び第２ラインを介して、それぞれ、前記ＰＣカードに供給する第１電圧値及び第２電圧値を設定する電圧制御手段を備え、
前記電圧判定手段は、前記電圧検出手段によって検出された２つの電圧値を、それぞれ、前記電圧制御手段から前記電力供給手段に対して設定された第１電圧値及び第２電圧値と比較することによって、前記電圧検出手段によって検出された２つの電圧値がそれぞれ正常であるか否かを判定することを特徴とする請求項２又は請求項３に記載の放送受信装置。
【請求項５】
前記電圧制御手段は、前記電圧判定手段によって２つの電圧値の内、少なくとも一方が正常ではないと判定された場合に、前記第１ライン及び第２ラインを介して、前記ＰＣカードに供給する電力を遮断することを特徴とする請求項４に記載の放送受信装置。
【発明の詳細な説明】
【技術分野】
【０００１】
本発明は、暗号化されたデジタル放送を受信し、受信されたデジタル放送を、ＰＣカードを介して復号化してモニタに出力する放送受信装置に関する。
【背景技術】
【０００２】
近年、デジタル放送の普及に伴い、放送局と視聴者との間における双方向通信も可能となり、番組毎に課金する有料放送も可能となった。有料放送を行う放送システムにおいては、視聴者を識別して視聴が許可された視聴者に対してのみ、番組の視聴を可能とする仕組みが必要となる。例えば、ＢＳデジタル放送を受信する場合には、受信装置毎にＢ−ＣＡＳ（ＢＳ  Ｃｏｎｄｉｔｉｏｎａｌ  Ａｃｃｅｓｓ  Ｓｙｓｔｅｍ）カードというＩＣカードが必要とされ、暗号化された（＝スクランブルのかけられた）放送信号を復号化（＝デスクランブル）するためには、この放送局（＝番組提供者）側と契約し、復号化するための情報を記憶したＢ−ＣＡＳカードが不可欠である。
【０００３】
有料放送を行う放送システムに関しては、種々の装置、方法等が提案されている。例えば、内部にＢ−ＣＡＳカード機能及びＳ−ＣＡＳカード機能を備えたＩＣカードが挿入さデジタル放送を受信した時には限定受信放送用ＩＣカード内部のＢ−ＣＡＳカード機能を、サーバ型放送受信した時には限定受信放送用ＩＣカード内部のＳ−ＣＡＳカード機能を用いて視聴者認証を受け、コンテンツ信号の復号化を行う受信装置が開示されている（特許文献１参照）。この受信装置によれば、暗号化されたデジタル放送及びサーバ型放送の双方を受信することができる。
【特許文献１】特開２００７−１３６８５号公報
【発明の開示】
【発明が解決しようとする課題】
【０００４】
一方、北米ではケーブルテレビのデジタル化に伴い、オープンケーブル放送を開始している。そして、有料放送に対応できるように、復号化処理を行うケーブルカード（＝Ｃａｂｌｅ  Ｃａｒｄ）というＣＰＵ（Ｃｅｎｔｒａｌ  Ｐｒｏｃｅｓｓｉｎｇ  Ｕｎｉｔ）が搭載されたＩＣカード（いわゆる、ＰＣＭＣＩＡカード等のＰＣカード）を装着可能とされている。
【０００５】
ＰＣカードはＣＰＵが搭載されているため、予め設定された所定の電圧値（例えば、３．３Ｖ）の直流電圧を印加する必要があるが、受信装置本体からＰＣカードに供給する電源ラインからの漏電等が発生し、所定の電圧値（ここでは、３．３Ｖ）の直流電圧がＰＣカードに供給できない場合がある。
【０００６】
このような場合には、ＰＣカードを介して復号化処理を正常に行うことができないため、有料放送を視聴することができないことになる。しかしながら、ユーザは、有料放送を視聴することができない原因を把握することが困難であるので、適正に対処することが困難であり、利便性が充分ではない場合があった。また、受信装置本体からＰＣカードに供給する電源ラインからの漏電等が継続する場合には、他の機器に故障が拡大する虞があった。
【０００７】
本発明は、上記課題に鑑みてなされたものであって、ＰＣカードに供給される電圧が異常であることを報知することの可能な放送受信装置を提供することを目的としている。
【課題を解決するための手段】
【０００８】
上記目的を達成するために請求項１に記載の放送受信装置は、暗号化されたデジタル放送を受信し、受信されたデジタル放送を、ＰＣカードを介して復号化してモニタに出力する放送受信装置であって、前記ＰＣカードに予め設定された所定電圧の電力を供給する電力供給手段と、前記電力供給手段によって前記ＰＣカードに供給される電圧値を検出する電圧検出手段と、前記電圧検出手段によって検出された電圧値が正常であるか否かを判定する電圧判定手段と、前記電圧判定手段によって電圧値が正常ではないと判定された場合に、前記モニタに予め設定された情報を表示する表示制御手段と、を備えることを特徴としている。
【０００９】
請求項２に記載の放送受信装置は、請求項１に記載の放送受信装置であって、前記ＰＣカードが、ＰＣＭＣＩＡ規格に準拠したＰＣカードであって、前記電力供給手段が、前記ＰＣカードに、第１ラインを介して第１電圧値に設定された電圧を供給すると共に、前記第１ラインとは相違する第２ラインを介して第２電圧値に設定された電圧を供給し、前記電圧検出手段が、前記電力供給手段から前記第１ライン及び第２ラインを介してそれぞれ供給される２つの電圧値を検出し、前記電圧判定手段が、前記電圧検出手段によって検出された２つの電圧値がそれぞれ正常であるか否かを判定し、前記表示制御手段が、前記電圧判定手段によって２つの電圧値の内、少なくとも一方が正常ではないと判定された場合に、前記モニタに予め設定された情報を表示することを特徴としている。
【００１０】
請求項３に記載の放送受信装置は、請求項２に記載の放送受信装置であって、前記表示制御手段が、前記電圧判定手段によって２つの電圧値の内、少なくとも一方が正常ではないと判定された場合に、２つの電圧値の内、正常ではないと判定された電圧値が供給されているラインを判別可能に前記モニタに表示することを特徴としている。
【００１１】
請求項４に記載の放送受信装置は、請求項２又は請求項３に記載の放送受信装置であって、前記電力供給手段に対して、前記第１ライン及び第２ラインを介して、それぞれ、前記ＰＣカードに供給する第１電圧値及び第２電圧値を設定する電圧制御手段を備え、前記電圧判定手段が、前記電圧検出手段によって検出された２つの電圧値を、それぞれ、前記電圧制御手段から前記電力供給手段に対して設定された第１電圧値及び第２電圧値と比較することによって、前記電圧検出手段によって検出された２つの電圧値がそれぞれ正常であるか否かを判定することを特徴としている。
【００１２】
請求項５に記載の放送受信装置は、請求項４に記載の放送受信装置であって、前記電圧制御手段が、前記電圧判定手段によって２つの電圧値の内、少なくとも一方が正常ではないと判定された場合に、前記第１ライン及び第２ラインを介して、前記ＰＣカードに供給する電力を遮断することを特徴としている。
【発明の効果】
【００１３】
請求項１に記載の放送受信装置によれば、ＰＣカードに予め設定された所定電圧の電力が供給され、ＰＣカードに供給される電圧値が検出され、検出された電圧値が正常であるか否かが判定される。そして、電圧値が正常ではないと判定された場合に、モニタに予め設定された情報が表示されるため、ＰＣカードに供給される電圧が異常であることを報知することができるので、ユーザの利便性を向上することができる。
【００１４】
請求項２に記載の放送受信装置によれば、ＰＣカードが、ＰＣＭＣＩＡ規格に準拠したＰＣカードであって、ＰＣカードに、第１ラインを介して第１電圧値に設定された電圧が供給されると共に、第１ラインとは相違する第２ラインを介して第２電圧値に設定された電圧が供給される。そして、第１ライン及び第２ラインを介してそれぞれ供給される２つの電圧値が検出され、検出された２つの電圧値がそれぞれ正常であるか否かが判定される。更に、２つの電圧値の内、少なくとも一方が正常ではないと判定された場合に、モニタに予め設定された情報が表示されるため、ＰＣカードがＰＣＭＣＩＡ規格に準拠したＰＣカードである場合に、ＰＣカードに供給される電圧が異常であることを報知することができるので、ユーザの利便性を更に向上することができる。
【００１５】
請求項３に記載の放送受信装置によれば、２つの電圧値の内、少なくとも一方が正常ではないと判定された場合に、２つの電圧値の内、正常ではないと判定された電圧値が供給されているラインを判別可能にモニタに表示されるため、ＰＣカードがＰＣＭＣＩＡ規格に準拠したＰＣカードである場合に、ＰＣカードに供給される電圧が異常であることを更に正確に報知することができるので、ユーザの利便性を更に向上することができる。
【００１６】
請求項４に記載の放送受信装置によれば、第１ライン及び第２ラインを介して、それぞれ、ＰＣカードに供給する第１電圧値及び第２電圧値が設定され、検出された２つの電圧値を、それぞれ、設定された第１電圧値及び第２電圧値と比較することによって、検出された２つの電圧値がそれぞれ正常であるか否かが判定されるため、ＰＣカードがＰＣＭＣＩＡ規格に準拠したＰＣカードである場合に、ＰＣカードに供給される電圧が異常であるか否かを簡素な構成で正確に判定することができる。
【００１７】
すなわち、例えば、第１ラインを介してＰＣカードに供給されている電圧値が、設定された第１電圧値（例えば、３．３Ｖ）に基づいて予め設定された第１閾値（例えば、２．０Ｖ）以下である場合に、異常であると判定し、第２ラインを介してＰＣカードに供給されている電圧値が、設定された第２電圧値（例えば、５．０Ｖ）に基づいて予め設定された第２閾値（例えば、３．０Ｖ）以下である場合に、異常であると判定することによって、ＰＣカード（＝ＰＣＭＣＩＡ規格に準拠したＰＣカード）に供給される電圧が異常であるか否かを簡素な構成で正確に判定することができるのである。
【００１８】
請求項５に記載の放送受信装置によれば、検出された２つの電圧値の内、少なくとも一方が正常ではないと判定された場合に、第１ライン及び第２ラインを介して、ＰＣカードに供給する電力が遮断されるため、電源ラインからの漏電等を防止することができるので、他の機器に故障が拡大することを防止することができる。
【発明を実施するための最良の形態】
【００１９】
以下に本発明の実施形態を、図面を参照しながら説明する。図１は、本発明に係る放送受信機の構成の一例を示すブロック図である。放送受信機１は、ケーブルを介してテレビジョン放送を受信し、ディスプレイ１４に出力するものであって、放送受信部１１、ＭＰＥＧ２デコーダ１２、出力部１３、ディスプレイ１４、メインＣＰＵ１５、メモリ１６、復号部１７、サブＣＰＵ１８、及び、電源ＩＣ１９を備えている。また、放送受信機１は、ＰＣカード２が着脱自在に構成され、ＰＣカード２との間で通信可能に構成されている。
【００２０】
放送受信部１１は、ケーブルを介してデジタル放送を受信して復調するものであって、チューナ部１１１、復調部１１２、及び、ＴＳデマルチプレクサ１１３を備えている。
【００２１】
チューナ部１１１は、ケーブルを介してデジタル放送波から、予め設定されたチャンネルの放送を選局するものである。復調部１１２は、チューナ部１１１からの出力情報を復調するものである。なお、チューナ部１１１を介して暗号化されたデジタル放送を受信する場合には、復調部１１２は、復調された情報をＰＣカード２（復号部２３）へ出力し、チューナ部１１１を介して暗号化されていないデジタル放送を受信する場合には、復調部１１２は、復調された情報をＴＳデマルチプレクサ１１３へ出力するものである。
【００２２】
ＴＳ（Ｔｒａｎｓｐｏｒｔ  Ｓｔｒｅａｍ）デマルチプレクサ１１３は、復調部１１２によって復調された出力情報を種別毎に分離して出力するものである。ＭＰＥＧ（Ｍｏｔｉｏｎ  Ｐｉｃｔｕｒｅ  Ｅｘｐｅｒｔｓ  Ｇｒｏｕｐ）２デコーダ１２は、ＴＳデマルチプレクサ１１３から出力された映像情報を圧縮前の映像情報に復号化するものである。
【００２３】
出力部１３は、ＭＰＥＧ２デコーダ１２によって復号化された映像情報をディスプレイ１４に対して出力するものである。ディスプレイ１４（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、出力部１３から出力された映像情報に対応する映像を表示するものである。
【００２４】
メインＣＰＵ（Ｃｅｎｔｒａｌ  Ｐｒｏｃｅｓｓｉｎｇ  Ｕｎｉｔ）１５は、放送受信機１全体の動作を制御するものである。メモリ１６は、ＲＡＭ（Ｒａｎｄｏｍ  Ａｃｃｅｓｓ  Ｍｅｍｏｒｙ）等からなり、種々の情報を格納するものである。復号部１７は、ＰＣカード２（暗号化部２４）からの暗号化されたＴＳ（Ｔｒａｎｓｐｏｒｔ  Ｓｔｒｅａｍ）を複合化し、複合化されたＴＳをＴＳデマルチプレクサ１１３へ出力するものである。
【００２５】
サブＣＰＵ１８は、メインＣＰＵ１５からの指示に従って、放送受信機１全体の電源供給を制御するものである。また、サブＣＰＵ１８は、メインＣＰＵ１５からの指示に従って、電源ＩＣ１９を介して、ＰＣカード２への電源供給を制御するものである。
【００２６】
電源ＩＣ（Ｉｎｔｅｇｒａｔｅｄ  Ｃｉｒｃｕｉｔ）１９（電力供給手段の一部に相当する）は、サブＣＰＵ１８からの指示に従って、ＰＣカード２に対して、第１ラインを介して第１電圧値Ｖｃｃに設定された電圧を供給すると共に、第１ラインとは相違する第２ラインを介して第２電圧値Ｖｐｐに設定された電圧を供給するものである（図２参照）。
【００２７】
ＰＣカード２は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したＰＣ（Ｐｅｒｓｏｎａｌ  Ｃｏｍｐｕｔｅｒ）カードであって、放送受信部１１から暗号化されたデジタル放送が受信された場合に、受信された暗号化されたデジタル放送を復号化するものである。また、ＰＣカード２は、ＣＰＵ２１、メモリ２２、復号部２３、及び、暗号化部２４を備えている。
【００２８】
ＣＰＵ２１は、放送受信機１に配設されたメインＣＰＵ１５と通信可能に接続され、ＰＣカード２全体の制御を行うものである。また、ＣＰＵ２１は、放送受信部１１を介して受信された暗号化されたデジタル放送の映像情報等を復号部２３及び暗号化部２４を介して復号部１７へ出力するものである。メモリ２２は、フラッシュメモリ等の不揮発性メモリであって、復号部２３が復号化処理を実行するためのファームウェア情報等を格納するものである。
【００２９】
復号部２３は、放送受信部１１から暗号化されたデジタル放送が受信された場合に、ＣＰＵ２１を介して復調部１１２から入力される暗号化されたデジタル放送を復号化し、復号化された映像情報を、暗号化部２４を介してＴＳ（Ｔｒａｎｓｐｏｒｔ  Ｓｔｒｅａｍ）デマルチプレクサ１１３へ出力するものである。暗号化部２４は、復号部２３によって復号化された映像情報を暗号化し、暗号化された映像情報を復号部１７へ出力するものである。
【００３０】
図２は、図１に示す放送受信機１における主要部の機能構成の一例を示す構成図である。メインＣＰＵ１５は、機能的に、電圧制御部１５１、及び、表示制御部１５２、を備え、サブＣＰＵ１８は、機能的に、電力供給部１８１、電圧検出部１８２、及び、電圧判定部１８３を備えている。
【００３１】
ここでは、メインＣＰＵ１５が、図略のＲＯＭ（Ｒｅａｄ  Ｏｎｌｙ  Ｍｅｍｏｒｙ）等に予め格納された制御プログラムを読み出して実行することにより、電圧制御部１５１、表示制御部１５２等の機能部として機能するものである。また、サブＣＰＵ１８が、図略のＲＯＭ等に予め格納された制御プログラムを読み出して実行することにより、電力供給部１８１、電圧検出部１８２、電圧判定部１８３等の機能部として機能するものである。
【００３２】
また、図１に示すメモリ１６、図略のＲＯＭ等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３３】
電圧制御部１５１（電圧制御手段の一部に相当する）は、電力供給部１８１及び電源ＩＣ１９を介して、第１ライン及び第２ラインを介して、それぞれ、ＰＣカード２に供給する第１電圧値Ｖｃｃ及び第２電圧値Ｖｐｐを設定するものである。また、電圧制御部１５１は、電圧判定部１８３によって２つの電圧値Ｖｃｃ、Ｖｐｐの内、少なくとも一方が正常ではないと判定された場合に、電力供給部１８１及び電源ＩＣ１９を介して、第１ライン及び第２ラインを介してＰＣカード２に供給する電力を遮断するものである。
【００３４】
電力供給部１８１（電圧制御手段の一部、電力供給手段の一部に相当する）は、電圧制御部１５１からの指示に従って、電源ＩＣ１９を介して、ＰＣカード２に、第１ラインを介して第１電圧値Ｖｃｃに設定された電圧を供給すると共に、第２ラインを介して第２電圧値Ｖｐｐに設定された電圧を供給するものである。また、電力供給部１８１は、電圧判定部１８３によって２つの電圧値Ｖｃｃ、Ｖｐｐの内、少なくとも一方が正常ではないと判定された場合に、電源ＩＣ１９を介して、電圧制御部１５１からの指示に従って、第１ライン及び第２ラインを介してＰＣカード２に供給する電力を遮断する（＝電源ＩＣ１９に対して、出力する制御信号ＥＮ０、ＥＮ１を「０」に設定する：図３（ａ）参照）ものである。
【００３５】
具体的には、電力供給部１８１は、電圧制御部１５１からの指示に基づいて、制御信号ＥＮ０、ＥＮ１を生成し、制御信号ＥＮ０、ＥＮ１を電源ＩＣ１９に対して出力するものである。電源ＩＣ１９は、電力供給部１８１から入力された制御信号ＥＮ０、ＥＮ１に応じて、第１電圧値Ｖｃｃ及び第２電圧値Ｖｐｐを制御するものである。
【００３６】
図３（ａ）は、電力供給部１８１から電源ＩＣ１９に対して出力される制御信号ＥＮ０、ＥＮ１と、電源ＩＣ１９によってＰＣカード２に印加される第１電圧値Ｖｃｃ及び第２電圧値Ｖｐｐと、の関係の一例を示す図表である。例えば、制御信号ＥＮ０が「０」であって、制御信号ＥＮ１が「０」である場合には、第１電圧値Ｖｃｃ及び第２電圧値Ｖｐｐが「０Ｖ」に制御される（＝ＰＣカード２に供給する電力が遮断される）。
【００３７】
また、制御信号ＥＮ０が「０」であって、制御信号ＥＮ１が「１」である場合には、第１電圧値Ｖｃｃ及び第２電圧値Ｖｐｐが「３．３Ｖ」に制御される。更に、制御信号ＥＮ０が「１」であって、制御信号ＥＮ１が「０」である場合には、第１電圧値Ｖｃｃが「３．３Ｖ」に制御され、第２電圧値Ｖｐｐが「５Ｖ」に制御される。加えて、制御信号ＥＮ０が「１」であって、制御信号ＥＮ１が「１」である場合には、第１電圧値Ｖｃｃが「３．３Ｖ」に制御され、第２電圧値Ｖｐｐが「０Ｖ」に制御される。
【００３８】
電圧検出部１８２（電圧検出手段に相当する）は、電源ＩＣ１９からＰＣカード２に、第１ライン及び第２ラインを介してそれぞれ供給される２つの電圧値Ｖ１、Ｖ２を検出するものである。
【００３９】
電圧判定部１８３（電圧判定手段に相当する）は、電圧検出部１８２によって検出された２つの電圧値Ｖ１、Ｖ２がそれぞれ正常であるか否かを判定するものである。具体的には、電圧判定部１８３は、電圧検出部１８２によって検出された２つの電圧値Ｖ１、Ｖ２を、それぞれ、電力供給部１８１から電源ＩＣ１９に対して設定された第１電圧値Ｖｃｃ及び第２電圧値Ｖｐｐと比較することによって、電圧検出部１８２によって検出された２つの電圧値Ｖ１、Ｖ２がそれぞれ正常であるか否かを判定する。
【００４０】
ここでは、例えば、電圧判定部１８３は、第１電圧値Ｖｃｃ（又は第２電圧値Ｖｐｐ）が「３．３Ｖ」に設定される場合には、電圧値Ｖ１（又は、電圧値Ｖ２）が「２．０Ｖ」未満である場合に、電圧値Ｖ１（又は、電圧値Ｖ２）が異常であると判定する。また、電圧判定部１８３は、第２電圧値Ｖｐｐが「５Ｖ」に設定される場合には、電圧値Ｖ２が「３．０Ｖ」未満である場合に、電圧値Ｖ２が異常であると判定する。
【００４１】
表示制御部１５２（表示制御手段に相当する）は、電圧判定部１８３によって２つの電圧値Ｖ１、Ｖ２の内、少なくとも一方が正常ではないと判定された場合に、ディスプレイ１４に予め設定された情報を表示するものである。
【００４２】
具体的には、表示制御部１５２は、電圧判定部１８３によって２つの電圧値の内、少なくとも一方が正常ではないと判定された場合に、２つの電圧値Ｖ１、Ｖ２の内、正常ではないと判定された電圧値が供給されているラインを判別可能に（＝第１電圧値Ｖｃｃが供給されるラインが異常であるか、第２電圧値Ｖｐｐが供給されるラインが異常であるかを判別可能に）、ディスプレイ１４にＯＳＤ（Ｏｎ−Ｓｃｒｅｅｎ  Ｄｉｓｐｌａｙ）にて予め設定された情報を表示するものである。
【００４３】
図３（ｂ）は、表示制御部１５２によってディスプレイ１４に表示される異常情報表示画面の一例を示す画面図である。異常情報表示画面３００には、画面右上に、ガイダンス表示部３０１、及び、詳細情報表示部３０２が表示されている。ガイダンス表示部３０１は、電源ＩＣ１９からＰＣカード２に供給される電圧が異常である旨の文字情報を表示するものであって、ここでは、「ケーブルカードが異常です。サービスコールをしてください。」との文字情報を表示するものである。
【００４４】
詳細情報表示部３０２は、第１電圧値Ｖｃｃが供給されるラインが異常であるか、第２電圧値Ｖｐｐが供給されるラインが異常であるかを判別可能に表示するものであって、ここでは、「（Ｖｃｃ：ＯＫ  Ｖｐｐ：ＮＧ）」と表示され、第１電圧値Ｖｃｃが供給されるラインが正常であって、第２電圧値Ｖｐｐが供給されるラインが異常であることが表示されている。
【００４５】
図４〜図６は、放送受信機１（主にメインＣＰＵ１５及びサブＣＰＵ１８）の動作の一例を示すフローチャートである。まず、図４に示すように、電圧判定部１８３によって、電力供給部１８１から電源ＩＣ１９に対して出力される制御信号ＥＮ０、ＥＮ１が「０」であるか否かの判定が行われる（Ｓ１０１）。制御信号ＥＮ０、ＥＮ１が「０」であると判定された場合（Ｓ１０１でＹＥＳ）には、処理が待機状態とされる。制御信号ＥＮ０、ＥＮ１の少なくとも一方が「０」ではないと判定された場合（Ｓ１０１でＮＯ）には、電圧検出部１８２によって、電源ＩＣ１９からＰＣカード２に供給される２つの電圧値Ｖ１、Ｖ２が検出される（Ｓ１０３）。
【００４６】
そして、電圧判定部１８３によって、制御信号ＥＮ０が「１」であるか否かの判定が行われる（Ｓ１０５）。制御信号ＥＮ０が「１」ではない（＝「０」である）と判定された場合（Ｓ１０５でＮＯ）には、処理が図５に示すステップＳ１１５に進められる。制御信号ＥＮ０が「１」であると判定された場合（Ｓ１０５でＹＥＳ）には、電圧判定部１８３によって、制御信号ＥＮ１が「１」であるか否かの判定が行われる（Ｓ１０７）。制御信号ＥＮ１が「１」ではない（＝「０」である）と判定された場合（Ｓ１０７でＮＯ）には、処理が図６に示すステップＳ１２９に進められる。
【００４７】
制御信号ＥＮ１が「１」であると判定された場合（Ｓ１０７でＹＥＳ：この場合には、電源ＩＣ１９によって第１電圧値Ｖｃｃが「３．３Ｖ」に制御され、第２電圧値Ｖｐｐが「０Ｖ」に制御される（図３（ａ）参照））には、電圧判定部１８３によって、ステップＳ１０３において検出された電圧値Ｖ１が「２．０Ｖ」未満であるか否かの判定が行われる（Ｓ１０９）。電圧値Ｖ１が「２．０Ｖ」未満ではない（＝電圧値Ｖ１が正常である）と判定された場合（Ｓ１０９でＮＯ）には、処理がステップＳ１０１に戻され、ステップＳ１０１以降の処理が繰り返し実行される。
【００４８】
電圧値Ｖ１が「２．０Ｖ」未満である（＝電圧値Ｖ１が異常である）と判定された場合（Ｓ１０９でＹＥＳ）には、表示制御部１５２によって、第１電圧値Ｖｃｃが供給されるラインが異常であって、第２電圧値Ｖｐｐが供給されるラインが正常であることを示す異常情報表示画面（図３（ｂ）参照）がディスプレイ１４に表示される（Ｓ１１１）。そして、電圧制御部１５１によって、電力供給部１８１を介して、制御信号ＥＮ０、ＥＮ１が「０」に設定され（Ｓ１１３）、処理が終了される。
【００４９】
Ｓ１０５でＮＯである場合（この場合には、電源ＩＣ１９によって第１電圧値Ｖｃｃ及び第２電圧値Ｖｐｐが「３．３Ｖ」に制御される（図３（ａ）参照））には、図５に示すように、電圧判定部１８３によって、図４に示すステップＳ１０３において検出された電圧値Ｖ１が「２．０Ｖ」未満であるか否かの判定が行われる（Ｓ１１５）。電圧値Ｖ１が「２．０Ｖ」未満ではない（＝電圧値Ｖ１が正常である）と判定された場合（Ｓ１１５でＮＯ）には、処理がステップＳ１２５に進められる。
【００５０】
電圧値Ｖ１が「２．０Ｖ」未満である（＝電圧値Ｖ１が異常である）と判定された場合（Ｓ１１５でＹＥＳ）には、電圧判定部１８３によって、図４に示すステップＳ１０３において検出された電圧値Ｖ２が「２．０Ｖ」未満であるか否かの判定が行われる（Ｓ１１７）。電圧値Ｖ２が「２．０Ｖ」未満である（＝電圧値Ｖ２が異常である）と判定された場合（Ｓ１１７でＹＥＳ）には、表示制御部１５２によって、第１電圧値Ｖｃｃ及び第２電圧値Ｖｐｐが供給されるラインが共に異常であることを示す異常情報表示画面（図３（ｂ）参照）がディスプレイ１４に表示される（Ｓ１１９）。
【００５１】
電圧値Ｖ２が「２．０Ｖ」未満ではない（＝電圧値Ｖ２が正常である）と判定された場合（Ｓ１１７でＮＯ）には、表示制御部１５２によって、第１電圧値Ｖｃｃが供給されるラインが異常であって、第２電圧値Ｖｐｐが供給されるラインが正常であることを示す異常情報表示画面（図３（ｂ）参照）がディスプレイ１４に表示される（Ｓ１２１）。ステップＳ１１９又はステップＳ１２１の処理が終了した場合には、電圧制御部１５１によって、電力供給部１８１を介して、制御信号ＥＮ０、ＥＮ１が「０」に設定され（Ｓ１２３）、処理が終了される。
【００５２】
ステップＳ１１５でＮＯの場合には、電圧判定部１８３によって、図４に示すステップＳ１０３において検出された電圧値Ｖ２が「２．０Ｖ」未満であるか否かの判定が行われる（Ｓ１２５）。電圧値Ｖ２が「２．０Ｖ」未満ではない（＝電圧値Ｖ２が正常である）と判定された場合（Ｓ１２５でＮＯ）には、処理が図４に示すステップＳ１０１に戻され、ステップＳ１０１以降の処理が繰り返し実行される。電圧値Ｖ２が「２．０Ｖ」未満である（＝電圧値Ｖ２が異常である）と判定された場合（Ｓ１２５でＹＥＳ）には、表示制御部１５２によって、第１電圧値Ｖｃｃが供給されるラインが正常であって、第２電圧値Ｖｐｐが供給されるラインが異常であることを示す異常情報表示画面（図３（ｂ）参照）がディスプレイ１４に表示され（Ｓ１２７）、電圧制御部１５１によって、電力供給部１８１を介して、制御信号ＥＮ０、ＥＮ１が「０」に設定され（Ｓ１２３）、処理が終了される。
【００５３】
Ｓ１０７でＮＯである場合（この場合には、電源ＩＣ１９によって第１電圧値Ｖｃｃが「３．３Ｖ」に制御され、第２電圧値Ｖｐｐが「５Ｖ」に制御される（図３（ａ）参照））には、図６に示すように、電圧判定部１８３によって、図４に示すステップＳ１０３において検出された電圧値Ｖ１が「２．０Ｖ」未満であるか否かの判定が行われる（Ｓ１２９）。電圧値Ｖ１が「２．０Ｖ」未満ではない（＝電圧値Ｖ１が正常である）と判定された場合（Ｓ１２９でＮＯ）には、処理がステップＳ１３９に進められる。
【００５４】
電圧値Ｖ１が「２．０Ｖ」未満である（＝電圧値Ｖ１が異常である）と判定された場合（Ｓ１２９でＹＥＳ）には、電圧判定部１８３によって、図４に示すステップＳ１０３において検出された電圧値Ｖ２が「３．０Ｖ」未満であるか否かの判定が行われる（Ｓ１３１）。電圧値Ｖ２が「３．０Ｖ」未満である（＝電圧値Ｖ２が異常である）と判定された場合（Ｓ１３１でＹＥＳ）には、表示制御部１５２によって、第１電圧値Ｖｃｃ及び第２電圧値Ｖｐｐが供給されるラインが共に異常であることを示す異常情報表示画面（図３（ｂ）参照）がディスプレイ１４に表示される（Ｓ１３３）。
【００５５】
電圧値Ｖ２が「２．０Ｖ」未満ではない（＝電圧値Ｖ２が正常である）と判定された場合（Ｓ１３１でＮＯ）には、表示制御部１５２によって、第１電圧値Ｖｃｃが供給されるラインが異常であって、第２電圧値Ｖｐｐが供給されるラインが正常であることを示す異常情報表示画面（図３（ｂ）参照）がディスプレイ１４に表示される（Ｓ１３５）。ステップＳ１３３又はステップＳ１３５の処理が終了した場合には、電圧制御部１５１によって、電力供給部１８１を介して、制御信号ＥＮ０、ＥＮ１が「０」に設定され（Ｓ１３７）、処理が終了される。
【００５６】
ステップＳ１２９でＮＯの場合には、電圧判定部１８３によって、図４に示すステップＳ１０３において検出された電圧値Ｖ２が「３．０Ｖ」未満であるか否かの判定が行われる（Ｓ１３９）。電圧値Ｖ２が「３．０Ｖ」未満ではない（＝電圧値Ｖ２が正常である）と判定された場合（Ｓ１３９でＮＯ）には、処理が図４に示すステップＳ１０１に戻され、ステップＳ１０１以降の処理が繰り返し実行される。電圧値Ｖ２が「３．０Ｖ」未満である（＝電圧値Ｖ２が異常である）と判定された場合（Ｓ１３９でＹＥＳ）には、表示制御部１５２によって、第１電圧値Ｖｃｃが供給されるラインが正常であって、第２電圧値Ｖｐｐが供給されるラインが異常であることを示す異常情報表示画面（図３（ｂ）参照）がディスプレイ１４に表示され（Ｓ１４１）、電圧制御部１５１によって、電力供給部１８１を介して、制御信号ＥＮ０、ＥＮ１が「０」に設定され（Ｓ１３７）、処理が終了される。
【００５７】
このようにして、ＰＣカード２に予め設定された所定電圧の電力が供給され、ＰＣカード２に供給される電圧値が検出され、検出された電圧値が正常であるか否かが判定される。そして、電圧値が正常ではないと判定された場合に、ディスプレイ１４に予め設定された情報が表示されるため、ＰＣカード２に供給される電圧が異常であることを報知することができるので、ユーザの利便性を向上することができる。
【００５８】
また、ＰＣカード２が、ＰＣＭＣＩＡ規格に準拠したＰＣカードであって、ＰＣカード２に、第１ラインを介して第１電圧値Ｖｃｃに設定された電圧が供給されると共に、第１ラインとは相違する第２ラインを介して第２電圧値Ｖｐｐに設定された電圧が供給される。そして、第１ライン及び第２ラインを介してそれぞれ供給される２つの電圧値Ｖ１、Ｖ２が検出され、検出された２つの電圧値Ｖ１、Ｖ２がそれぞれ正常であるか否かが判定される。更に、２つの電圧値Ｖ１、Ｖ２の内、少なくとも一方が正常ではないと判定された場合に、ディスプレイ１４に予め設定された情報が表示されるため、ＰＣカード２がＰＣＭＣＩＡ規格に準拠したＰＣカードである場合に、ＰＣカード２に供給される電圧が異常であることを報知することができるので、ユーザの利便性を更に向上することができる。
【００５９】
更に、２つの電圧値Ｖ１、Ｖ２の内、少なくとも一方が正常ではないと判定された場合に、２つの電圧値Ｖ１、Ｖ２の内、正常ではないと判定された電圧値が供給されているラインを判別可能にディスプレイ１４に表示される（図３（ｂ）参照）ため、ＰＣカード２がＰＣＭＣＩＡ規格に準拠したＰＣカードである場合に、ＰＣカード２に供給される電圧が異常であることを更に正確に報知することができるので、ユーザの利便性を更に向上することができる。
【００６０】
加えて、第１ライン及び第２ラインを介して、それぞれ、ＰＣカード２に供給する第１電圧値Ｖｃｃ及び第２電圧値Ｖｐｐが設定され、検出された２つの電圧値Ｖ１、Ｖ２を、それぞれ、設定された第１電圧値Ｖｃｃ及び第２電圧値Ｖｐｐと比較することによって、検出された２つの電圧値Ｖ１、Ｖ２がそれぞれ正常であるか否かが判定されるため、ＰＣカード２がＰＣＭＣＩＡ規格に準拠したＰＣカードである場合に、ＰＣカード２に供給される電圧が異常であるか否かを簡素な構成で正確に判定することができる。
【００６１】
すなわち、例えば、第１ラインを介してＰＣカード２に供給されている電圧値Ｖ１が、設定された第１電圧値Ｖｃｃ（例えば、３．３Ｖ）に基づいて予め設定された第１閾値（例えば、２．０Ｖ）以下である場合に、異常であると判定し、第２ラインを介してＰＣカード２に供給されている電圧値が、設定された第２電圧値Ｖｐｐ（例えば、５．０Ｖ）に基づいて予め設定された第２閾値（例えば、３．０Ｖ）以下である場合に、異常であると判定することによって、ＰＣカード２（＝ＰＣＭＣＩＡ規格に準拠したＰＣカード）に供給される電圧が異常であるか否かを簡素な構成で正確に判定することができるのである。
【００６２】
また、検出された２つの電圧値Ｖ１、Ｖ２の内、少なくとも一方が正常ではないと判定された場合に、第１ライン及び第２ラインを介して、ＰＣカード２に供給する電力が遮断されるため、電源ラインからの漏電等を防止することができるので、他の機器に故障が拡大することを防止することができる。
【００６３】
なお、本発明は、以下の形態にも適用可能である。
（Ａ）本実施形態では、放送受信装置が、デジタル放送を受信する放送受信機１である場合について説明したが、放送受信装置が、アナログ放送及びデジタル放送を受信する形態でもよい。
【００６４】
（Ｂ）本実施形態では、放送受信機１がメインＣＰＵ１５及びサブＣＰＵ１８を備える場合について説明したが、放送受信機１が１のＣＰＵを備える形態でもよいし、３個以上のＣＰＵを備える形態でもよい。
【００６５】
（Ｃ）本実施形態では、メインＣＰＵ１５及びサブＣＰＵ１８が、それぞれ、機能的に、電圧制御部１５１、表示制御部１５２、及び、電力供給部１８１、電圧検出部１８２、電圧判定部１８３を備える場合について説明したが、電圧制御部１５１、表示制御部１５２、電力供給部１８１、電圧検出部１８２、及び、電圧判定部１８３の内、少なくとも１の機能部が、回路等のハードウェアによって実現されている形態でもよい。
【００６６】
（Ｄ）本実施形態では、ＰＣカード２が、ＰＣＭＣＩＡ規格に準拠したＰＣカードである場合について説明したが、その他の種類のＰＣカードである形態でもよい。
【００６７】
（Ｅ）本実施形態では、放送受信機１がケーブルを介してデジタル放送を受信する場合について説明したが、アンテナを介してデジタル放送を受信する形態でもよい。
【図面の簡単な説明】
【００６８】
【図１】は、本発明に係る放送受信機の構成の一例を示すブロック図である。
【図２】は、図１に示す放送受信機における主要部の機能構成の一例を示す構成図である。
【図３】は、制御信号ＥＮ０、ＥＮ１と第１電圧値Ｖｃｃ、第２電圧値Ｖｐｐとの関係の一例を示す図表、及び、表示制御部によってディスプレイに表示される異常情報表示画面の一例を示す画面図である。
【図４】は、放送受信機（主にメインＣＰＵ及びサブＣＰＵ）の動作の一例を示すフローチャート（第１部）である。
【図５】は、放送受信機（主にメインＣＰＵ及びサブＣＰＵ）の動作の一例を示すフローチャート（第２部）である。
【図６】は、放送受信機（主にメインＣＰＵ及びサブＣＰＵ）の動作の一例を示すフローチャート（第３部）である。
【符号の説明】
【００６９】
１    放送受信機（放送受信装置）
１１    放送受信部
１２    ＭＰＥＧ２デコーダ
１３    出力部
１４    ディスプレイ（モニタ）
１５    メインＣＰＵ
１５１    電圧制御部（電圧制御手段の一部）
１５２    表示制御部（表示制御手段）
１６    メモリ
１７    復号部
１８    サブＣＰＵ
１８１    電力供給部（電圧制御手段の一部、電力供給手段の一部）
１８２    電圧検出部（電圧検出手段）
１８３    電圧判定部（電圧判定手段）
１９    電源ＩＣ（電力供給手段の一部）
２    ＰＣカード
２１    ＣＰＵ
２２    メモリ
２３    復号部
２４    暗号化部
【図１】
2008311710.tif 000003
【図２】
2008311710.tif 000004
【図３】
2008311710.tif 000005
【図４】
2008311710.tif 000006
【図５】
2008311710.tif 000007
【図６】
2008311710.tif 000008